(57)【特許請求の範囲】
【請求項１】
ベースブロックと、該ベースブロックに取り付けられる電磁石であって、鉄心、該鉄心に巻回されたコイル、該鉄心の一端に固着された継鉄、および該継鉄にヒンジばねによって固定され、該鉄心の他端に対向して設けられた接極子を含む電磁石と、該ベースブロックに取り付けられる接点ばねセットであって、固定接点ばねおよび可動接点ばねを含む接点ばねセットと、前記接極子と前記可動接点ばねとを相互に連結する接点駆動カードとを備えた電磁継電器において、
前記ベースブロックは、
前記電磁石と前記接点ばねセットとの間に介在するクランク形状の絶縁壁であって、前記コイルの側方で前記鉄心の長手方向に沿って延長される直立壁部分を含む絶縁壁と、
前記絶縁壁の一方の側に設けられ、前記継鉄に係合する凸部と、
前記絶縁壁の他方の側に設けられ、前記固定接点ばねおよび前記可動接点ばねのそれぞれに係合する係合孔とを備え、
前記凸部及び前記係合孔が、前記ベースブロックに対する前記電磁石と前記接点ばねセットとの取付方向を、前記絶縁壁の前記直立壁部分の両面にそれぞれ直交する互いに反対の方向に制限する形状を有し、
前記接点ばねセットの前記固定接点ばねおよび前記可動接点ばねは、前記ベースブロックの前記絶縁壁の高さ方向に沿って配置され、該絶縁壁は、前記直立壁部分よりも高い位置に形成されるとともに該固定接点ばねおよび該可動接点ばねよりも高い位置まで延長される上方部をさらに有すること、
を特徴とする電磁継電器。
【発明の詳細な説明】
【０００１】
【産業上の利用分野】
本発明は、電磁継電器におけるベースブロックに電磁石と接点ばねとを装着する構造に関するものである。
【０００２】
【従来の技術】
一般に、電磁継電器の構造は鉄心１と、該鉄心１にコイルボビン４を介して巻回されたコイル１２と、該鉄心１に固着された継鉄３と、該継鉄３にヒンジばね６によって固定され鉄心１の頭部１ａに対向して設けられた接極子２とからなる電磁石１３、および可動接点ばね７と固定接点ばね８とがベースブロック９に固定されて構成されている。
この種の電磁継電器において、ベースブロック９に載置される鉄心１、コイル１２  、継鉄３および接極子２等から成る電磁石１３の固定位置と、可動接点ばね７と固定接点ばね８の固定位置は、通常充分な絶縁性能が得られる位置に予め設定されているものである。
【０００３】
【発明が解決しようとする課題】
しかしながら、図５に示す従来の構造のように、電磁石１３と可動接点ばね７および固定接点ばね８との間隔を取らずに高絶縁性能をもたせようとする場合、ベースブロック９で電磁石１３または可動接点ばね７と固定接点ばね８を覆うことが必要となり、このためベースブロック９が大型化し電磁継電器本体が小さくならないという問題点があった。
【０００４】
【課題を解決するための手段】
本発明は、上記の問題点を解決するため、ベースブロックと、該ベースブロックに取り付けられる電磁石であって、鉄心、該鉄心に巻回されたコイル、該鉄心の一端に固着された継鉄、および該継鉄にヒンジばねによって固定され、該鉄心の他端に対向して設けられた接極子を含む電磁石と、該ベースブロックに取り付けられる接点ばねセットであって、固定接点ばねおよび可動接点ばねを含む接点ばねセットと、前記接極子と前記可動接点ばねとを相互に連結する接点駆動カードとを備えた電磁継電器において、前記ベースブロックは、前記電磁石と前記接点ばねセットとの間に介在するクランク形状の絶縁壁であって、前記コイルの側方で前記鉄心の長手方向に沿って延長される直立壁部分を含む絶縁壁と、前記絶縁壁の一方の側に設けられ、前記継鉄に係合する凸部と、前記絶縁壁の他方の側に設けられ、前記固定接点ばねおよび前記可動接点ばねのそれぞれに係合する係合孔とを備え、前記凸部及び前記係合孔が、前記ベースブロックに対する前記電磁石と前記接点ばねセットとの取付方向を、前記絶縁壁の前記直立壁部分の両面にそれぞれ直交する互いに反対の方向に制限する形状を有し、前記接点ばねセットの前記固定接点ばねおよび前記可動接点ばねは、前記ベースブロックの前記絶縁壁の高さ方向に沿って配置され、該絶縁壁は、前記直立壁部分よりも高い位置に形成されるとともに該固定接点ばねおよび該可動接点ばねよりも高い位置まで延長される上方部をさらに有することを特徴とする電磁継電器を提供する。
以下、図面を参照して、本発明の好適な実施形態を説明する。
図１乃至図４に示すように、本発明の実施形態による電磁継電器は、ベースブロック９にクランク形状の絶縁壁９ａ、絶縁壁上方部９ｂを設け、その対向する側壁面へ向かって電磁石１３および可動接点ばね７と固定接点ばね８とをそれぞれ別の方向から挿入して組立られる構造の形状にし、電磁石１３の継鉄３に設けた凹部３ｂをベースブロック９に設けた凸部９ｃに勘合させ、また可動接点ばね７と固定接点ばね８とをベースブロック９の係合孔９ｄに挿入して固定する構成にしたものである。
【０００５】
図１から図４は本発明の電磁継電器の構造を示すもので、図１は本発明の電磁継電器の組立斜視図である。図２は図１の分解斜視図である。図３は本発明のベースブロックの形状構造を示すもので（ａ）図は正面図、（ｂ）図は（ａ）図の上面から見たＡ−Ａ断面図、（ｃ）図は（ａ）図の上面から見たＢ−Ｂ断面図である。図４はベースブロックと電磁石と接点ばねの構成を示すもので（ａ）図は分解斜視図で（ｂ）図はその組立斜視図である。図５は従来の構成を示すもので（ａ）図は分解斜視図で（ｂ）図はその組立斜視図である。
【０００６】
以下、本発明の電磁継電器を図２に基づいてその組立工程を説明すると、絶縁材料から成るコイルボビン４の鍔部４ａから突出したブロック状部４ｂにはコイル端子５が圧入され、このコイル端子５にコイルボビン４に巻回されるコイル１２の両端が接続される。なお、コイル端子５はコイルボビン４を成形する工程において同時成形により取り付けることが可能である。
【０００７】
コイルボビン４の中心孔４ｃには、鉄心１が挿入され、該鉄心１の下部１ｂはＬ字形の継鉄３の嵌合孔３ａに挿入し嵌合した後、継鉄３に固定される。接極子２の突起部２ａはヒンジばね６の嵌合孔６ａに挿入された後かしめられ、接極子２とヒンジばね６とが一体となって接極子組立を構成する。
【０００８】
その後、継鉄３にヒンジばね６を取り付ける。この際、ヒンジばね６は継鉄３をベースブロック９に固定後、取り付けることもできる。前記の鉄心１、コイルボビン４、継鉄３、接極子２とで電磁石１３を構成する。次に該電磁石１３と、可動接点７ａを有する可動接点ばね７と、固定接点８ａを有する固定接点ばね８とを前記ベースブロック９に矢印方向へそれぞれ挿入して固定した後、カード１０を接極子２と可動接点ばね７に係止して取り付ける。そして、ケース１１を被せることによって電磁継電器の組立は完了する。
【０００９】
次に、本発明の主要部である電磁石１３と、可動接点ばね７と、固定接点ばね８およびベースブロック９の構造と、その組立手段について図３および図４に基づいて詳細に説明すると、ベースブロック９は絶縁材料より成形加工され、図３の（ｃ）図に示すように、クランク形状の絶縁壁９ａ、絶縁壁上方部９ｂを持つものである。さらに図３の（ｂ）図に示すように該絶縁壁９ａの面と直角に対向する低部面に凸部９ｃを形成して、図４に示す電磁石１３の継鉄３に設けてある凹部３ｂを前記ベースブック９の凸部９ｃに係止し、他方の面には係合孔９ｄを形成して、図４に示す可動接点ばね７と固定接点ばね８とを前記ベースブロック９の係合孔９ｄに挿入し係止したものである。
【００１０】
これらの嵌合状態は図３の（ｃ）図に示す如く、ベースブロック９に設けたクランク形状の絶縁壁９ａ、絶縁壁上方部９ｂに対向する面から、図４に示すように電磁石１３と可動接点ばね７および固定接点ばね８とをそれぞれ挿入し係止することにより、電磁石１３と各接点ばね７，８との間に沿面距離を容易かつ十分に取ることができる。
【００１１】
【発明の効果】
以上の説明から明らかなように、本発明はベースブロック９にクランク形状の絶縁壁９ａを設けることにより、電磁石１３と可動接点ばね７および固定接点ばね８とが隣接して配置されても絶縁上の距離が十二分に大きく取れる構成と成り、さらに絶縁壁上方部９ｂを設けることにより、接点開閉時に発生する接点消耗粉等による絶縁劣化が少なく、小型でも高絶縁性能を有することができる。
【図面の簡単な説明】
【図１】は本発明における電磁継電器の組立斜視図である。
【図２】は本発明の電磁継電器の構造を示す分解斜視図である。
【図３】は本発明のベースブロックの形状を示すもので、（ａ）図は正面図、（ｂ）図は（ａ）図のその上面から見たＡ−Ａ断面図、（ｃ）図は（ａ）図の上面から見たＢ−Ｂ断面図である。
【図４】は電磁石と各接点ばねとの構成を示すもので、その（ａ）図は分解斜視図で、（ｂ）図はその組立斜視図である。
【図５】は従来における電磁石と接点ばねの構成を示すもので、その（ａ）図は分解斜視図で、（ｂ）図はその組立斜視図である。
【符号の説明】
１・・・・鉄心
１ａ・・・鉄心の頭部
１ｂ・・・鉄心の下部
２・・・・接極子
２ａ・・・接極子の突起部
３・・・・継鉄
３ａ・・・継鉄の嵌合孔
３ｂ・・・継鉄の凹部
４・・・・コイルボビン
４ａ・・・コイルボビンの鍔部
４ｂ・・・コイルボビンのブロック状部
４ｃ・・・コイルボビンの中心孔
５・・・・コイル端子
６・・・・ヒンジばね
６・・・・ヒンジばねの嵌合孔
７・・・・可動接点ばね
７ａ・・・可動接点
８・・・・固定接点ばね
８ａ・・・固定接点
９・・・・ベースブロック
９ａ・・・ベースブロックに設けたクランク形状の絶縁壁
９ｂ・・・ベースブロックに設けた絶縁壁上方部
９ｃ・・・ベースブロックに設けた凸部
９ｄ・・・ベースブロックに設けた係合孔
１０・・・カード
１１・・・ケース
１２・・・コイル
１３・・・電磁石
【図１】
0004026912.tif 000002
【図２】
0004026912.tif 000003
【図３】
0004026912.tif 000004
【図４】
0004026912.tif 000005
【図５】
0004026912.tif 000006